(57)【要約】　　　（修正有）【課題】光拡散フィルムを含む複数枚の光学フィルムを積層するにあたって、目視にて各光学フィルムが正しい順序で、しかも表裏反転なく積層されているかどうかを容易に確認できるようにする。【解決手段】光拡散フィルム２１を含む複数枚の光学フィルム２１〜２４を積層してなり、液晶表示素子と光源との間に配置される光学フィルム積層体２０を備えているバックライト装置において、上記光学フィルム積層体２０に含まれる各光学フィルムのうち、少なくとも光拡散フィルム２１上に重ねられる各光学フィルム２２，２３，２４の端縁の同一箇所に、積層順にしたがって漸次拡大する相似形状の切除部２２Ｃ，２３Ｃ，２４Ｃを形成する。【選択図】　　図２
2004125964.tif 000002
【特許請求の範囲】
【請求項１】
液晶表示素子の反観察面側に配置される光源と、光拡散フィルムを含む複数枚の光学フィルムを積層してなり、上記液晶表示素子と上記光源との間に配置される光学フィルム積層体とを備えている液晶表示素子用バックライト装置において、
上記光学フィルム積層体に含まれる各光学フィルムのうち、少なくとも上記光拡散フィルム上に重ねられる上記光学フィルムの各々には、その端縁の同一箇所に積層順にしたがって漸次拡大する相似形状の切除部が形成されていることを特徴とする液晶表示素子用バックライト装置。
【請求項２】
上記切除部が、上記各光学フィルムのコーナー部に形成されている請求項１に記載の液晶表示素子用バックライト装置。
【発明の詳細な説明】
【０００１】
【発明の属する技術分野】
本発明は、液晶表示素子のバックライト装置に関し、さらに詳しく言えば、液晶表示素子と光源との間に配置される光学フィルム積層体の積層作業を容易化する技術に関するものである。
【０００２】
【従来の技術】
透過型もしくは半透過型の液晶表示素子は、その背面側（反観察面側）にバックライト装置を備えている。バックライト装置にはサイドライト型と直下型とがあるが、サイドライト型は直下型に比べて薄型であるため、特に携帯電話機用などの液晶表示素子に好ましく採用されている。
【０００３】
バックライト装置を有する液晶表示素子においては、その消費電力の大半がバックライト装置の光源で消費されることから、低消費電力化の要請のもと、光源からの光を効率よく均一化して液晶表示素子に照射するため、バックライト装置に様々な対策が講じられている。
【０００４】
その従来技術の一例として、光源からの光を拡散する光拡散フィルム上に集光フィルムや輝度上昇フィルムなどの所定の光学特性を有するフィルムを積層して、光源からの光をより有効に液晶表示素子に照射することが行われている。
【０００５】
この従来技術について、従来のサイドライト型バックライト装置の一例を模式的に示す図５の分解側面図と、図６の分解斜視図とにより説明する。このバックライト装置は、液晶表示パネルＰの背面側（反観察面側）に配置される光学系ユニット１と、この光学系ユニット１が収納されるホルダ４０とを備えている。
【０００６】
この例において、光学系ユニット１には、図示しない光源からの光が入射される導光板１０と、導光板１０の光出射面（上面）１２側に配置される光学フィルム積層体２０と、導光板１０の底面１３側に配置される光反射シート３０とが含まれている。
【０００７】
このうち、導光板１０は、例えばアクリル樹脂板からなり、その所定の側面を光入射面１１として図示しない光源からの光が導光板１０内に照射される。光学フィルム積層体２０には、光拡散フィルム２１と、ポリエステルやカーボーネートなどの樹脂板からなる３枚のプリズムフィルム２２，２３，２４とが含まれており、これらによって液晶表示パネルＰに対する照明光が適宜調整される。
【０００８】
拡散フィルム２１は、導光板１０の光出射面１２からの光を有効に拡散（散乱）させて光のムラをなくし、また、導光板１０に現れる光源の輝点ドットを隠して光を均一化するために採用される。プリズムフィルム２２，２３，２４は、複数枚の使用によって光の方向性を変化させて輝度を向上させるために採用されるもので、この例では、２２，２３が集光フィルムで、２４が輝度上昇フィルムである。
【０００９】
ホルダ４０には、上記光学系ユニット１が収納される凹部４１と、導光板１０の光入射面１１側に配置されるＬＥＤ収納部４２とが設けられている。図示しないが、ＬＥＤ収納部４２には、光源としての例えばチップ型発光ダイオードが収納されている。
【００１０】
ところで、光学フィルム積層体２０は、図示しない光源（発光ダイオード）から導光板１０に入射された光を効率よく液晶表示パネルＰに向けて照射できるように、あらかじめ積層順が決められている。
【００１１】
集光フィルム２２，２３および輝度上昇フィルム２４などの光学フィルムは、例えば偏光フィルムが偏光軸を備えているのと同様に、多くの場合、所定方向の光学軸を有しているため、あらかじめ定められた光学軸に応じた向きで積層する必要がある。
【００１２】
しかしながら、この種の光学フィルムは、その殆どが透明であるため、その表裏や光学軸を見分けることは難しい。そのため、積層順を間違えたり、表裏や光学軸を取り違えたりすることがあり、所期の効果を得られないばかりでなく、照射効率を低下させてしまうという問題があった。
【００１３】
そこで、上記した間違えを防止するため、従来では、図６に示すように、集光フィルム２２，２３および輝度上昇フィルム２４の各々の両側縁に突片部２２ａ，２２ｂ；２３ａ，２３ｂ；２４ａ，２４ｂを設け、これらの各突片部の相対的な位置関係を確認することによって積層ミスが生じないようにしている。
【００１４】
上記各突片部の相対的な位置関係を説明するため、一例として、光学フィルム積層体２０に含まれている２枚の集光フィルム２２，２３のうち、一方の集光フィルム２２を図７（ａ）に、他方の集光フイルム２３を図７（ｂ）にそれぞれ平面図として示す。
【００１５】
集光フィルム２２，２３を積層するにあたって、例えば、一方の集光フィルム２２はその表面２２Ｄ側のプリズム光学軸Ｌ１が縦方向となるように配置され、他方の集光フィルム２３はその表面２３Ｄ側のプリズム光学軸Ｌ２が横方向となるように配置されるものとする。
【００１６】
このプリズム光学軸Ｌ１，Ｌ２を取り違えないようにするため、集光フィルム２２側には、そのプリズム光学軸Ｌ１と平行な両側縁に突片部２２ａ，２２ｂが設けられ、集光フィルム２３側には、そのプリズム光学軸Ｌ２と直交する両側縁に突片部２３ａ，２３ｂが設けられる。
【００１７】
また、積層順を間違えないようにするため、集光フィルム２２，２３とで突片部２２ａ，２２ｂと突片部２３ａ，２３ｂとの配置を相対的に例えば１段ずらすようにしている。同様に、集光フィルム２３とその上に積層される輝度上昇フィルム２４との間でも、それらの突片部２３ａ，２３ｂと突片部２４ａ，２４ｂとの配置が相対的にずらされる。
【００１８】
これにより、積層された光学フィルム積層体２０をその上から見て、各突片部２２ａ，２２ｂ；２３ａ，２３ｂ；２４ａ，２４ｂが所定の順序でその幅分ずつ並んでいれば、正しいプリズム光学軸のもとで、しかも順序正しく積層されていると判断するようにしている。
【００１９】
【発明が解決しようとする課題】
しかしながら、上記した従来技術には次のような解決すべき問題がある。まず、各光学フィルムは透明であるため、各突片部の重ねられている順序が分かりずらいという問題がある。
【００２０】
例えば、図７（ａ）の集光フィルム２２の上に図７（ｂ）の集光フィルム２３を積層する場合、その重ね合わせ順を逆にしても、上から見た場合には、その突片部２２ａ，２２ｂと突片部２３ａ，２３ｂとの並び順が同じに見えるため、どちらが上でどちらが下であるかが分かりにくい。
【００２１】
次に、各突片部がフィルムの両側縁に左右対称に配置されているため、表裏が反転されているかどうかは判定できない。また、実際の生産工程においては、集光フィルム２２，２３にしても、輝度上昇フィルム２４にしても、１枚の大きなマザーフィルムから切り出されるが、突片部を含む形で切り出す場合、どうしても捨てる部分が多く発生することになり、その無駄な分が結局のところ、製品コストに転嫁されることになる。
【００２２】
したがって、本発明の課題は、バックライト装置に用いられる複数枚の光学フィルムに、表裏および積層順が分かりやすく、しかもマザーフィルムからの切り出し時に捨て部分を極力少なくし得るような指標を与えることにある。
【００２３】
【課題を解決するための手段】
上記課題を解決するため、本発明は、液晶表示素子の反観察面側に配置される光源と、光拡散フィルムを含む複数枚の光学フィルムを積層してなり、上記液晶表示素子と上記光源との間に配置される光学フィルム積層体とを備えている液晶表示素子用バックライト装置において、上記光学フィルム積層体に含まれる各光学フィルムのうち、少なくとも上記光拡散フィルム上に重ねられる上記光学フィルムの各々には、その端縁の同一箇所に積層順にしたがって漸次拡大する相似形状の切除部が形成されていることを特徴としている。
【００２４】
この構成によれば、各光学フィルムをその端縁部に形成される切除部を指標として、その切除部が小さいものから大きなものへと順次重ね合わせることにより、積層順序を間違えることなく積層することができる。また、この切除部は各光学フィルムの内側に向けて形成されるため、マザーフィルムからの切り出し時に捨て部分が少なくなる。
【００２５】
切除部を形成する位置は、光学フィルムの端縁のうち、光透過部分に影響を与えない部分であれば任意に決められてよいが、作業者にとって見やすく、また、表裏をも判別可能とする観点からすれば、各光学フィルムのコーナー部（角部）に形成されることが好ましい。なお、本発明は、サイドライト型のみならず、直下型にも適用可能である。
【００２６】
【発明の実施の形態】
次に、図１ないし図４により、本発明の実施形態について説明する。図１は本発明のバックライト装置の全体を模式的に示す分解斜視図、図２は本発明の要部を示す分解斜視図である。なお、この実施形態の説明において、先に説明した従来技術と同一もしくは同一と見なせる構成要素には同じ参照符号を付している。
【００２７】
このバックライト装置においても、光学系ユニット１は、導光板１０と、導光板１０の光出射面１２側に配置される光学フィルム積層体２０と、導光板１０の底面１３側に積層される光反射シート３０とを備えている。この光学系ユニット１はホルダ４０の凹部４１内に、導光板１０の光入射面１１がＬＥＤ収納部４２と対向するように収納される。
【００２８】
光学フィルム積層体２０には、光拡散フィルム２１と、２枚の集光フィルム２２，２３と、１枚の輝度上昇フィルム２４とが含まれているが、この例においては、光拡散フィルム２１上に積層される集光フィルム２２，２３および輝度上昇フィルム２４の同一位置の各コーナー部に、積層順を示す切除部２２Ｃ，２３Ｃ，２４Ｃが設けられている。
【００２９】
図３に、その内の集光フィルム２２を示して説明すると、この例において、切除部２２Ｃは、四角形状に裁断された集光フィルム２２から、そのひとつの頂点（この場合、右上の頂点）２２Ａを含む三角形状の切断片２２Ｂを切り離すことによって形成される。
【００３０】
なお、集光フィルム２２を図示しないマザーフィルムから多面取りする場合には、集光フィルム２２はあらかじめ切除部２２Ｃを有する形状として１回の裁断で切り出されることが好ましい。
【００３１】
他の集光フィルム２３，輝度上昇フィルム２４についても、同様にして右上の頂点を含むコーナー部に切除部２３Ｃ，２４Ｃが形成されるが、各切除部２２Ｃ，２３Ｃ，２４Ｃは相似形であって、積層順が下から集光フィルム２２→集光フィルム２３→輝度上昇フィルム２４の順であるとすると、切除部の大きさは切除部２２Ｃ→切除部２３Ｃ→切除部２４Ｃの順に好ましくは均等割合で漸次大きくされる。
【００３２】
このため、光拡散フィルム２１上に集光フィルム２２，２３および輝度上昇フィルム２４を、この順序で正しく積層した場合には、図４に示すように、光学フィルム積層体２０のコーナー部に、下から順に切除部２２Ｃ，２３Ｃ，２４Ｃが階段状に表れることになる。
【００３３】
これに対して、仮に、例えば１枚の光学フィルムが抜けていると、光学フィルム積層体２０のコーナー部に現れる切除部の斜辺の数が足りなくなる。また、仮に、例えば１枚の光学フィルムがその表裏を反転して積層された場合には、切除部のないコーナー部が光学フィルム積層体２０のコーナー部に現れるため、やはり光学フィルム積層体２０のコーナー部に現れる切除部の斜辺の数が足りなくなる。
【００３４】
このようにして、本発明によれば、目視にて各光学フィルムが正しい順序で、しかも表裏反転なく積層されているかどうかを容易に確認することができ、積層作業の正確さと迅速性とが達成される。
【００３５】
なお、一般的に光拡散フィルム２１は乳白色を呈し他の光学フィルムと識別可能であり、また、特定の方向性も有していないため、上記の例では光拡散フィルム２１には切除部を設けていないが、必要に応じて光拡散フィルム２１に切除部を形成してもよい。
【００３６】
また、切除部の形状も三角形状に限定されるものではなく、例えばＬ字形や凹円形など適宜に選択することができる。また、本発明においては、切除部は各光学フィルムのコーナー部に設けられることが好ましいが、各光学フィルムの端縁の適宜位置に設けられてもよい。この場合には、導光板からの光出射面からの照明範囲に影響を与えることのない適宜の位置を選択すればよい。
【００３７】
また、上記実施形態においては、光学フィルム積層体が光拡散フィルムおよび３枚のプリズムフィルムで構成された例で説明したが、積層枚数に応じて適宜に拡大または縮小した相似形状の切除部を形成すればよく、本発明は積層フィルムの枚数および種類に限定されることはない。また、上記実施形態のバックライト装置はサイドライト型であるが、本発明は直下型バックライト装置にも適用できることはいうまでもない。
【００３８】
【発明の効果】
以上説明したように、本発明によれば、光拡散フィルムを含む複数枚の光学フィルムを積層してなり、液晶表示素子と光源との間に配置される光学フィルム積層体を備えているバックライト装置において、上記光学フィルム積層体に含まれる各光学フィルムのうち、少なくとも光拡散フィルム上に重ねられる各光学フィルムの端縁の同一箇所に、積層順にしたがって漸次拡大する相似形状の切除部を形成したことにより、目視にて各光学フィルムが正しい順序で、しかも表裏反転なく積層されているかどうかを容易に確認することができ、積層作業の正確さと迅速性とが達成される。また、光学フィルムをマザーフィルムから多面取りする場合の捨て部分を極力少なくすることができる。
【図面の簡単な説明】
【図１】本発明によるバックライト装置の全体構成を分解して模式的に示す斜視図。
【図２】本発明のによるバックライト装置の要部を分解して示す斜視図。
【図３】本発明における光学フィルムの一例を示す平面図。
【図４】本発明における光学フィルム積層体を示す平面図およびその一部拡大図。
【図５】一般的なサイドライト型バックライト装置の構成を説明するための模式的な分解側面図。
【図６】従来技術によるバックライト装置を示す模式的な分解斜視図。
【図７】従来技術による積層順指標を備えた光学フィルムを示す平面図。
【符号の説明】
１　光学系ユニット
１０　導光板
１１　光入射面
１２　光出射面
２０　光学フィルム積層体
２１　光拡散フィルム
２２，２３　集光フィルム
２４　輝度上昇フィルム
２２Ｃ，２３Ｃ，２４Ｃ　切除部
３０　光反射シート
４０　ホルダ
４２　ＬＥＤ収納部
【図１】
2004125964.tif 000003
【図２】
2004125964.tif 000004
【図３】
2004125964.tif 000005
【図４】
2004125964.tif 000006
【図５】
2004125964.tif 000007
【図６】
2004125964.tif 000008
【図７】
2004125964.tif 000009